(57)【要約】      （修正有）【課題】レストランのテーブルの回転率を向上させることに役立つ整理消毒テーブルを提供する。【解決手段】ベース２１を含み、前記ベースの頂面にはテーブル板４７が固定的に設置され、前記テーブル板の中には右方に開口した開口空間４９が設置され、前記開口空間の中には長板５０がスライドできるように連結され、前記長板と前記開口空間との間にはリセットバネ４８が連結され、前記長板の中には拭き取り装置１０１が設置され、前記拭き取り装置が前記長板の頂面に設置された前後対称の開口スライドチャンバーを含み、まず凸ブロックを引き、それによりスイッチドアを回転連動させ、本発明は客が美食を満喫した後に、食器を回収し、機械方式により、自動的にテーブルの上のゴミと油汚れとをそれぞれきれいに処理することができ、同時に本装置は清潔する過程において石けん水を入れ、テーブルが整理された後に油汚れが残されないようにする。【選択図】図１
2020203063.tif 000002
【特許請求の範囲】
【請求項１】
正面視で、ベースを含み、前記ベースの頂面にはテーブル板が固定的に設置され、前記テーブル板の中には右方に開口した開口空間が設置され、前記開口空間の中には長板がスライドできるように連結され、前記長板と前記開口空間との間にはリセットバネが連結され、前記長板の中には拭き取り装置が設置され、前記拭き取り装置が前記長板の頂面に設置された前後対称の開口スライドチャンバーを含み、後側の前記開口スライドチャンバーの左右側壁には固定スライドロッドが固定的に設置され、前記固定スライドロッドには後側スライドブロックがスライドできるように連結され、前側の前記開口スライドチャンバーの右側壁には清潔モーターが固定的に設置され、前記清潔モーターの左側には前記開口スライドチャンバーと回転できるように連結されたネジ山軸が連結され、前記ネジ山軸には前側スライドブロックがネジ山により連結され、前記開口スライドチャンバーの後側壁には連通チャンバーが設置され、前記連通チャンバーの後側壁にはパイプスライドチャンバーが設置され、前記パイプスライドチャンバーの中にはパイプスライドブロックがスライドできるように連結され、前記パイプスライドブロックの頂面には硬パイプが固定的に設置され、前記パイプスライドブロックと前記前側スライドブロックとの間には従動スライドブロックが連結され、前記前側ガイドブロックと前記後側スライドブロックとの頂面にはそれぞれ連結短ロッドが固定的に連結され、二つの前記連結短ロッドの頂面には清潔長ブロックが固定的に設置され、前記清潔長ブロックの中には下方に開口した収納チャンバーが設置され、前記収納チャンバーの中には取り除き板がスライドできるように連結され、前記取り除き板と前記収納チャンバーの間には圧縮バネが設置され、前記開口空間の前後側壁には当接ブロックが固定的に設置され、前記当接ブロックが前記取り除き板と当接でき、前記清潔長ブロックの中には前記硬パイプと連通した排水管が設置され、前記排水管の右側には噴射板が固定的に設置され、前記噴射板の中には噴水できる噴射孔が設置され、前記噴射孔が前記排水管と連通され、前記ベースの中には昇降空間が設置され、前記昇降空間の左右側壁にはラックスライドチャンバーが対称的に設置され、前記ラックスライドチャンバーの底壁にはそれぞれ歯車チャンバーが設置され、前記歯車チャンバーと前記ラックスライドチャンバーと前記昇降空間との間には昇降装置が設置され、前記歯車チャンバーの底壁にはそれぞれゴミチャンバーが設置され、前記ゴミチャンバーの間には動力チャンバーが設置され、前記動力チャンバーの中には駆動装置が設置され、前記駆動装置が昇降装置により前記拭き取り装置を連動して上下に移動させることができ、前記ベースの中には物保存チャンバーが設置され、前記物保存チャンバーの中には加水できる加水装置が設置されていることを特徴とするレストランの迅速にテーブルを回転させることに役立つ整理消毒テーブル。
【請求項２】
前記昇降装置は昇降スライドブロックと従動ラックとヒンジ連結ロッドと駆動軸と駆動歯車とにより構成され、前記昇降空間の頂壁と前記開口空間の底壁との中には前記昇降スライドブロックがスライドできるよう連結され、前記昇降スライドブロックの頂面が前記長板と固定的に連結され、前記ラックスライドチャンバーの中にはそれぞれ前記従動ラックが対称的に且つスライドできるように連結され、前記従動ラックと前記昇降スライドブロックとの間に前記はヒンジ連結ロッドがそれぞれヒンジにより連結され、前記歯車チャンバーの前後側壁には前記駆動軸が回転できるように連結され、前記駆動軸には前記従動ラックと噛み合っている前記駆動歯車が固定的に設置されていることを特徴とする請求項１に記載のレストランの迅速にテーブルを回転させることに役立つ整理消毒テーブル。
【請求項３】
前記駆動装置は駆動モーターとモーター親ねじとネジ山ラックとゴミ箱と位置制限スライドチャンバーとにより構成され、前記動力チャンバーの中には前記駆動モーターが固定的に設置され、前記駆動モーターの中には前記モーター親ねじが連結され、前記モーター親ねじの左右両側には前記動力チャンバーとスライドできるように連結された前記ネジ山ラックが対称的に且つネジ山により連結され、前記ネジ山ラックが前記駆動歯車と噛み合っており、二つの前記ネジ山ラックの片側にはそれぞれ前記ゴミチャンバーとスライドできるように連結されたゴミ箱が固定的に連結され、その中に左側の前記ネジ山ラックの底側には下方に開口した前記位置制限スライドチャンバーが設置されていることを特徴とする請求項１に記載のレストランの迅速にテーブルを回転させることに役立つ整理消毒テーブル。
【請求項４】
前記加水装置はバネ板と連結バネと門軸とスイッチドアと凸ブロックと長スライドチャンバーと密封チャンバーと入水管と連動空間とラックブロックと逆鈎とフォーマットと連結ロッドと位置制限機構とポンプと軟パイプとにより構成され、前記物保存チャンバーの中には前記バネ板がスライドできるように連結され、前記バネ板と前記物保存チャンバーとの間には前記連結バネが連結され、前記物保存チャンバーの上下側壁には前記門軸が回転できるように連結され、前記門軸には前記物保存チャンバーを閉鎖できる前記スイッチドアが固定的に設置され、前記スイッチドアの前側面には前記物保存チャンバーを開くことができる前記凸ブロックが固定的に設置され、前記物保存チャンバーの頂壁には前記長スライドチャンバーが設置され、前記長スライドチャンバーの底壁には前記密封チャンバーが設置され、前記長スライドチャンバーの中には前記入水管が貫通され、前記長スライドチャンバーの左側壁には前記連動空間が設置され、前記長スライドチャンバーの中には前記ラックブロックがスライドできるように連結され、前記ラックブロックの底面には前記逆鈎が固定的に設置され、前記ラックブロックの底面には前記フォームマットが左右対称的に且つ固定的に設置され、前記ラックブロックの左側頂面には前記連接ロッドが固定的に設置され、前記連接ロッドの頂面には前記位置制限スライドチャンバーとスライドできるように連結された前記位置制限機構が固定的に設置され、前記入水管の中には前記ポンプが固定的に設置され、前記昇降空間の中において前記入水管には前記軟パイプが連結され、前記軟パイプが前記昇降スライドブロックを貫通して前記開口空間の中に入り、且つ前記パイプスライドブロックと連結されていることを特徴とする請求項１に記載のレストランの迅速にテーブルを回転させることに役立つ整理消毒テーブル。
【請求項５】
前記フォームマットが前記密封チャンバーとスライドできるように連結されることができ、且つ前記フォームマットには防水機能が持つことを特徴とする請求項４に記載のレストランの迅速にテーブルを回転させることに役立つ整理消毒テーブル。
【請求項６】
前記軟パイプはゴム材質を使用していることを特徴とする請求項４に記載のレストランの迅速にテーブルを回転させることに役立つ整理消毒テーブル。
【請求項７】
前記取り除き板の底面はゴム材質を使用していることを特徴とする請求項１に記載のレストランの迅速にテーブルを回転させることに役立つ整理消毒テーブル。
【請求項８】
前記ゴミ箱の幅は前記テーブル板の幅に等しいことを特徴とする請求項３に記載のレストランの迅速にテーブルを回転させることに役立つ整理消毒テーブル。
【発明の詳細な説明】
【技術分野】
【０００１】
本発明は飲食分野に関し、具体的にはレストランの迅速にテーブルを回転させることに役立つ整理消毒テーブルである。
【背景技術】
【０００２】
人々の生活水準が高まるにつれて、多くの人は週末或いは休みの時にレストランへ食事と取りに行き、飲食業の商売もいつも非常によく、しかし商売が良すぎるため、レストランを超満員状態とさせやすく、従って飲食業においてテーブルの回転率を上げるのは非常に重要な一点である。
現在のテーブルでは、客が食べ終わった後、店員がテーブルを片付ける必要があり、まずテーブルの上の食器を片付け、そしてテーブルの上のゴミを整理し、それから洗剤でテーブルをきれいに拭き取り、その過程において大量の時間を浪費し、それによりテーブルの回転率を大きく下げる。
【先行技術文献】
【特許文献】
【０００３】
【特許文献１】中国特許出願公開第１０７１５７１２８号明細書
【発明の概要】
【発明が解決しようとする課題】
【０００４】
本発明はレストランの迅速にテーブルを回転させることに役立つ整理消毒テーブルを提供し、従来技術における上記欠点を解消することを目的とする。
【課題を解決するための手段】
【０００５】
本発明の実施例のレストランの迅速にテーブルを回転させることに役立つ整理消毒テーブルは、ベースを含み、前記ベースの頂面にはテーブル板が固定的に設置され、前記テーブル板の中には右方に開口した開口空間が設置され、前記開口空間の中には長板がスライドできるように連結され、前記長板と前記開口空間との間にはリセットバネが連結され、前記長板の中には拭き取り装置が設置され、前記拭き取り装置が前記長板の頂面に設置された前後対称の開口スライドチャンバーを含み、その中に後側の前記開口スライドチャンバーの左右側壁には固定スライドロッドが固定的に設置され、前記固定スライドロッドには後側スライドブロックがスライドできるように連結され、前側の前記開口スライドチャンバーの右側壁には清潔モーターが固定的に設置され、前記清潔モーターの左側には前記開口スライドチャンバーと回転できるように連結されたネジ山軸が連結され、前記ネジ山軸には前側スライドブロックがネジ山により連結され、前記開口スライドチャンバーの後側壁には連通チャンバーが設置され、前記連通チャンバーの後側壁にはパイプスライドチャンバーが設置され、前記パイプスライドチャンバーの中にはパイプスライドブロックがスライドできるように連結され、前記パイプスライドブロックの頂面には硬パイプが固定的に設置され、前記パイプスライドブロックと前記前側スライドブロックとの間には従動スライドブロックが連結され、前記前側ガイドブロックと前記後側スライドブロックとの間にはそれぞれ連結短ロッドが固定的に連結され、二つの前記連結短ロッドの頂面には清潔長ブロックが固定的に設置され、前記清潔長ブロックの中には下方に開口した収納チャンバーが設置され、前記収納チャンバーの中には取り除き板がスライドできるように連結され、前記取り除き板と前記収納チャンバーとの間には圧縮バネが設置され、前記開口空間の前後側壁には当接ブロックが固定的に設置され、前記当接ブロックが前記取り除き板と当接でき、前記清潔長ブロックの中には前記硬パイプと連通した排水管が設置され、前記排水管の右側には噴射板が固定的に設置され、前記噴射板の中には噴水できる噴射孔が設置され、前記噴射孔が前記排水管と連通され、前記ベースの中には昇降空間が設置され、前記昇降空間の左右側壁にはラックスライドチャンバーが対称的に設置され、前記ラックスライドチャンバーの底壁にはそれぞれ歯車チャンバーが設置され、前記歯車チャンバーと前記ラックスライドチャンバーと前記昇降空間との間には昇降装置が設置され、前記歯車チャンバーの底壁にはそれぞれゴミチャンバーが設置され、前記ゴミチャンバーの間には動力チャンバーが設置され、前記動力チャンバーの中には駆動装置が設置され、前記駆動装置が前記拭き取り装置を連動させて移動させ、前記ベースの中には物保存チャンバーが設置され、前記物保存チャンバーの中には加水できる加水装置が設置されている。
【０００６】
前記技術プランに基づいて、前記昇降装置は昇降スライドブロックと従動ラックとヒンジ連結ロッドと駆動軸と駆動歯車とにより構成され、前記昇降空間の頂壁と前記開口空間の底壁との中には前記昇降スライドブロックがスライドできるよう連結され、前記昇降スライドブロックの頂面が前記長板と固定的に連結され、前記ラックスライドチャンバーの中にはそれぞれ前記従動ラックが対称的に且つスライドできるように連結され、前記従動ラックと前記昇降スライドブロックとの間に前記はヒンジ連結ロッドがそれぞれヒンジにより連結され、前記歯車チャンバーの前後側壁には前記駆動軸が回転できるように連結され、前記駆動軸には前記従動ラックと噛み合っている前記駆動歯車が固定的に設置されている。
【０００７】
前記技術プランに基づいて、前記駆動装置は駆動モーターとモーター親ねじとネジ山ラックとゴミ箱と位置制限スライドチャンバーとにより構成され、前記動力チャンバーの中には前記駆動モーターが固定的に設置され、前記駆動モーターの中には前記モーター親ねじが連結され、前記モーター親ねじの左右両側には前記動力チャンバーとスライドできるように連結された前記ネジ山ラックが対称的に且つネジ山により連結され、前記ネジ山ラックが前記駆動歯車と噛み合っており、二つの前記ネジ山ラックの片側にはそれぞれ前記ゴミチャンバーとスライドできるように連結されたゴミ箱が固定的に連結され、その中に左側の前記ネジ山ラックの底側には下方に開口した前記位置制限スライドチャンバーが設置されている。
【０００８】
前記技術プランに基づいて、前記加水装置はバネ板と連結バネと門軸とスイッチドアと凸ブロックと長スライドチャンバーと密封チャンバーと入水管と連動空間とラックブロックと逆鈎とフォーマットと連接ロッドと位置制限機構とポンプと軟パイプとにより構成され、前記物保存チャンバーの中には前記バネ板がスライドできるように連結され、前記バネ板と前記物保存チャンバーとの間には前記連結バネが連結され、前記物保存チャンバーの上下側壁には前記門軸が回転できるように連結され、前記門軸には前記物保存チャンバーを閉鎖できる前記スイッチドアが固定的に設置され、前記スイッチドアの前側面には前記物保存チャンバーを開くことができる前記凸ブロックが固定的に設置され、前記物保存チャンバーの頂壁には前記長スライドチャンバーが設置され、前記長スライドチャンバーの底壁には前記密封チャンバーが設置され、前記長スライドチャンバーの中には前記入水管が貫通され、前記長スライドチャンバーの左側壁には前記連動空間が設置され、前記長スライドチャンバーの中には前記ラックブロックがスライドできるように連結され、前記ラックブロックの底面には前記逆鈎が固定的に設置され、前記ラックブロックの底面には前記フォームマットが左右対称的に且つ固定的に設置され、前記ラックブロックの左側頂面には前記連接ロッドが固定的に設置され、前記連接ロッドの頂面には前記位置制限スライドチャンバーとスライドできるように連結された前記位置制限機構が固定的に設置され、前記入水管の中には前記ポンプが固定的に設置され、前記昇降空間の中において前記入水管には前記軟パイプが連結され、前記軟パイプが前記昇降スライドブロックを貫通して前記開口空間の中に入り、且つ前記パイプスライドブロックと連結されている。
【０００９】
前記技術プランに基づいて、前記フォームマットが前記密封チャンバーとスライドできるように連結されることができ、且つ前記フォームマットには防水機能が持つ。
【００１０】
前記技術プランに基づいて、前記軟パイプはゴム材質を使用している。
【００１１】
前記取り除き板の底面はゴム材質を使用している。
【００１２】
前記技術プランに基づいて、前記ゴミ箱の幅は前記テーブル板の幅に等しい。
【発明の効果】
【００１３】
本発明の有益効果は：本発明は構造が簡単であり、操作が便利であり、客が美食を満喫した後に、食器を回収し、機械方式により、自動的にテーブルの上のゴミと油汚れとをそれぞれきれいに処理することができ、同時に本装置は清潔する過程において石けん水を入れ、テーブルが整理された後に油汚れが残されないようにし、テーブルの衛生を保障し、同時に本装置はゴミを分類して処理した後、続きの処理に便利である。
本装置はテーブルの回転率を早めたのみでなく、より多くの客が美食を満喫できるようにし、同時に、自動的にテーブルを回転させることができるため、店員の数を減らすことができ、それにより人力コストを節約し、それにより間接的にレストランの利益を上げ、人々の収入を増やす。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のレストランの迅速にテーブルを回転させることに役立つ整理消毒テーブルの全体構成模式図
【図２】図２は図１の「Ａ」の局部拡大構成模式図
【図３】図３は図１の正面構成模式図
【図４】図４は図１のＢ―Ｂの断面模式図
【図５】図５は図４の「Ｃ―Ｃ」の断面模式図
【図６】図６は図１の中のラックブロックの俯瞰構成模式図
【図７】図７は図１の中の物保存チャンバーの中の内部構成の左側面模式図
【発明を実施するための形態】
【００１６】
本発明の実施例のレストランの迅速にテーブルを回転させることに役立つ整理消毒テーブルは、ベース２１を含み、前記ベース２１の頂面にはテーブル板４７が固定的に設置され、前記テーブル板４７の中には右方に開口した開口空間４９が設置され、前記開口空間４９の中には長板５０がスライドできるように連結され、前記長板５０と前記開口空間４９との間にはリセットバネ４８が連結され、前記長板５０の中には拭き取り装置１０１が設置され、前記拭き取り装置１０１が前記長板５０の頂面に設置された前後対称の開口スライドチャンバー６２を含み、後側の前記開口スライドチャンバー６２の左右側壁には固定スライドロッド６２が固定的に設置され、前記固定スライドロッド６２には後側スライドブロック６６がスライドできるように連結され、前側の前記開口スライドチャンバー６２の右側壁には清潔モーター５９が固定的に設置され、前記清潔モーター５９の左側には前記開口スライドチャンバー６２と回転できるように連結されたネジ山軸６１が連結され、前記ネジ山軸６１には前側スライドブロック６０がネジ山により連結され、前記開口スライドチャンバー６２の後側壁には連通チャンバー６３が設置され、前記連通チャンバー６３の後側壁にはパイプスライドチャンバー６４が設置され、前記パイプスライドチャンバー６４の中にはパイプスライドブロック６５がスライドできるように連結され、前記パイプスライドブロック６５の頂面には硬パイプ５５が固定的に設置され、前記パイプスライドブロック６５と前記前側スライドブロック６０との間には従動スライドブロック５４が連結され、前記前側ガイドブロック６０と前記後側スライドブロック６６との頂面にはそれぞれ連結短ロッド７９が固定的に連結され、二つの前記連結短ロッド７９の頂面には清潔長ブロック５７が固定的に設置され、前記清潔長ブロック５７の中には下方に開口した収納チャンバー７４が設置され、前記収納チャンバー７４の中には取り除き板７３がスライドできるように連結され、前記取り除き板７３と前記収納チャンバー７４との間には圧縮バネ７２が設置され、前記開口空間４９の前後側壁には当接ブロック７１が固定的に設置され、前記当接ブロック７１が前記取り除き板７３と当接でき、前記清潔長ブロック５７の中には前記硬パイプ５５と連通した排水管７６が設置され、前記排水管７６の右側には噴射板７７が固定的に設置され、前記噴射板７７の中には噴水できる噴射孔７８が設置され、前記噴射孔７８が前記排水管７６と連通され、前記ベース２１の中には昇降空間４５が設置され、前記昇降空間４５の左右側壁にはラックスライドチャンバー４２が対称的に設置され、前記ラックスライドチャンバー４２の底壁にはそれぞれ歯車チャンバー４１が設置され、前記歯車チャンバー４１と前記ラックスライドチャンバー４２と前記昇降空間４５との間には昇降装置１０２が設置され、前記歯車チャンバー４１の底壁にはそれぞれゴミチャンバー３５が設置され、前記ゴミチャンバー３５の間には動力チャンバー３６が設置され、前記動力チャンバー３６の中には駆動装置１０３が設置され、前記駆動装置１０３が昇降装置１０２により前記拭き取り装置１０１を連動させて上下に移動させることができ、前記ベース２１の中には物保存チャンバー８１が設置され、前記物保存チャンバー８１の中には加水装置１０４が設置され、前記加水装置１０４が石鹸水を拭き取り装置１０１の中に運送することができる。
【００１７】
その他、もう一つの実施例において、前記昇降装置１０２は前記昇降空間４５の頂壁と前記開口空間４９の底壁との中にスライドできるように取り付けられた昇降スライドブロック５１を含み、前記昇降スライドブロック５１の頂面が前記長板５０と固定的に連結され、前記ラックスライドチャンバー４２の中にはそれぞれ従動ラック４３が対称的に且つスライドできるように連結され、前記従動ラック４３と前記昇降スライドブロック５１との間にはヒンジ連結ロッド４４がそれぞれヒンジにより連結され、前記歯車チャンバー４１の前後側壁には駆動軸４０が回転できるように連結され、前記駆動軸４０には前記従動ラック４３と噛み合っている駆動歯車３９が固定的に設置され、前記駆動歯車３９が回転した時、それにより前記従動ラック４３を中心に移動させ、それにより前記ヒンジ連結ロッド４４を通して前記昇降スライドブロック５１と前記長板５０と前記清潔長ブロック５７を連動させて上方に移動させ、それにより前記清潔長ブロック５７を底面と前記テーブル板４７の頂面とを水平に整列され、その役割が拭き取り装置１０１の前期準備をすることである。
【００１８】
その他、もう一つの実施例において、前記駆動装置１０３は動力チャンバー３６の中に固定的に取り付けられた駆動モーター８２を含み、前記駆動モーター８２の中にはモーター親ねじ３７が連結され、前記モーター親ねじ３７の左右両側には前記動力チャンバー３６とスライドできるように連結されたネジ山ラック３８が対称的に且つネジ山により連結され、前記ネジ山ラック３８が前記駆動歯車３９と噛み合っており、二つの前記ネジ山ラック３８の片側にはそれぞれ前記ゴミチャンバー３５とスライドできるように連結されたゴミ箱８３が固定的に連結され、左側の前記ネジ山ラック３８の底側には下方に開口した位置制限スライドチャンバー２３が設置され、それにより前記駆動モーター８２を始動し、それにより前記モーター親ねじ３７を回転連動させ、それにより前記ゴミ箱８３を前記ゴミチャンバー３５から放り出し、その役割が前記昇降装置１０２を駆動することとゴミチャンバー３５を放り出すことである。
【００１９】
その他、もう一つの実施例において、前記加水装置１０４は前記物保存チャンバー８１の中に取り付けられたバネ板３１を含み、前記バネ板３１と前記物保存チャンバー８１との間には連結バネ３３が連結され、前記物保存チャンバー８１の上下側壁には門軸７０が回転できるように連結され、前記門軸７０には前記物保存チャンバー８１を閉鎖できるスイッチドア６９が固定的に設置され、前記スイッチドア６９の前側面には前記物保存チャンバー８１を開くことができる凸ブロック６８が固定的に設置され、前記物保存チャンバー８１の頂壁には長スライドチャンバー２６が設置され、前記長スライドチャンバー２６の底壁には密封チャンバー２８が設置され、前記長スライドチャンバー２６の中には入水管２９が貫通され、前記長スライドチャンバー２６の左側壁には連動空間２４が設置され、前記長スライドチャンバー２６の中にはラックブロック２７がスライドできるように連結され、前記ラックブロック２７の底面には逆鈎３２が固定的に設置され、前記ラックブロック２７の底面にはフォームマット３４が左右対称的に且つ固定的に設置され、前記ラックブロック２７の左側頂面には連接ロッド２５が固定的に設置され、前記連接ロッド２５の頂面には前記位置制限スライドチャンバー２３とスライドできるように連結された位置制限機構２２が固定的に設置され、前記入水管２９の中にはポンプ３０が固定的に設置され、前記昇降空間４５の中において前記入水管２９には軟パイプ４６が連結され、前記軟パイプ４６が前記昇降スライドブロック５１を貫通して前記開口空間４９の中に入り、且つ前記パイプスライドブロック６５と連結され、それにより前記凸ブロック６８を引くことにより、前記スイッチドア６９を連動させて回転させ、それから前記バネ板３１を下方に押し、それにより清潔するための石鹸を前記バネ板３１の頂面に入れ、それから前記ネジ山ラック３８が両側に移動した時、前記位置制限機構２２と前記連接ロッド２５と前記ラックブロック２７と前記フォームマット３４と前記逆鈎３２とを連動させて左方に移動させ、それにより前記逆鈎３２を前記バネ板３１の頂面の石鹸を一部分取り除いて左方に移動させ、それにより前記逆鈎３２が完全に前記入水管２９の中にあるようにさせ、それから前記ポンプ３０を始動し、それにより水を前記入水管から抽出し、それから前記逆鈎３２が石鹸と混和することにより、それから前記軟パイプ４６と前記パイプスライドブロック６５と前記硬パイプ５５と前記排水管７６と前記噴射孔７８とを通して水を噴出し、テーブルの上に噴出する。
【００２０】
その他、もう一つの実施例において、前記フォームマット３４が前記密封チャンバー２８とスライドできるように連結されることができ、且つ前記フォームマット３４には防水機能が持ち、水が前記密封チャンバー２８から前記物保存チャンバー８１の中に流れ込むことを防止する。
【００２１】
その他、もう一つの実施例において、前記軟パイプ４６はゴム材質を使用しており、任意的に曲げりが可能であり、ある程度の収縮性が有している。
【００２２】
その他、もう一つの実施例において、前記取り除き板７３の底面はゴム材質を使用しており、テーブルの上のゴミを除去することができるだけではなく、石鹸水を取り除くことによりテーブル板４７の頂面をきれいにすることもできる。
【００２３】
その他、もう一つの実施例において、前記ゴミ箱８３の幅は前記テーブル板４７の幅に等しく、ゴミが整除の過程において零れることを防止する。
【００２４】
石鹸を入れる必要がある時、まず凸ブロック６８を引き、それによりスイッチドア６９を回転連動させ、それからバネ板３１を下方に押し、それにより洗浄の石鹸をバネ板３１の頂面に入れ、それから客がご飯を食べ終わった時、まず皿を収める、それから駆動モーター８２を始動し、それによりモーター親ねじ３７を回転連動させ、それによりゴミ箱８３をゴミチャンバー３５から押し、ゴミ箱８３をテーブル板４７の頂面と水平に整列され、ネジ山ラック３８が両側に移動した時、位置制限機構２２と連接ロッド２５とラックブロック２７とフォームマット３４と逆鈎３２とを連動させて左方に移動させ、それにより逆鈎３２をバネ板３１の頂面の石鹸を一部分を取り除いて左方に移動させ、逆鈎３２を完全に入水管２９の中にあるようにさせ、その時ネジ山ラック３８が駆動歯車３９を回転連動させ、それにより従動ラック４３を連動させて中心に移動させ、それによりヒンジ連結ロッド４４を通して昇降スライドブロック５１と長板５０と清潔長ブロック５７とを上方に移動させ、それにより清潔長ブロック５７の底面をテーブル４７の頂面と水平に整列され、その時取り除き板７３がテーブルと当接し、それから清潔モーター５９を始動し、ネジ山軸６１を回転連動させ、それにより前側スライドブロック６０と従動スライドブロック５４とパイプスライドブロック６５と後側スライドブロック６６と硬パイプ５５と連結短ロッド７９と清潔長ブロック５７を連動させて左方に移動させ、それにより取り除き板７３を通してテーブルの上のゴミを左方に連動させ、左側のゴミ箱８３の中に掃き込み、同時にポンプ３０を始動し、それにより水を入水管２９から抽出し、それから逆鈎３２により石鹸と混和し、それから軟パイプ４６とパイプスライドブロック６５と硬パイプ５５と排水管７６と噴射孔７８とにより水をテーブルの上に噴出し、それから逆方向に清潔モーター５９を始動し、それにより清潔長ブロック５７を左方に連動させ、それにより取り除き板７３によりテーブルの上の石鹸水を右側のゴミ箱８３の中に取り除き、その間、テーブルの上の油汚れもきれいに取り除き、それから逆方向に駆動モーター８２を始動し、本装置を復帰させる。
【００２５】
以上に述べたのはただ本実用新型のより良い実施例だけで、本実用新型を限定することに使わないである。本実用新型の意義と原則のもとで行う全ての修正、同等の入れ替えと改善などは本実用新型の保護範囲に含まれる。
【図１】
2020203063.tif 000003
【図２】
2020203063.tif 000004
【図３】
2020203063.tif 000005
【図４】
2020203063.tif 000006
【図５】
2020203063.tif 000007
【図６】
2020203063.tif 000008
【図７】
2020203063.tif 000009
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの頂面にはテーブル板が固定的に設置され、前記テーブル板の中には右方に開口した開口空間が設置され、前記開口空間の中には長板がスライドできるように連結され、前記長板と前記開口空間との間にはリセットバネが連結され、前記長板には拭き取り装置が設置され、前記拭き取り装置が前記長板の頂面に設置された前後対称の開口スライドチャンバーを含み、後側の前記開口スライドチャンバーの左右側壁には固定スライドロッドが固定的に設置され、前記固定スライドロッドには後側スライドブロックがスライドできるように連結され、前側の前記開口スライドチャンバーの右側壁には清潔モーターが固定的に設置され、前記清潔モーターの左側には前記開口スライドチャンバーと回転できるように連結されたネジ山軸が連結され、前記ネジ山軸には前側スライドブロックがネジ山により連結され、前記開口スライドチャンバーの後側壁には連通チャンバーが設置され、前記連通チャンバーの後側壁にはパイプスライドチャンバーが設置され、前記パイプスライドチャンバーの中にはパイプスライドブロックがスライドできるように連結され、前記パイプスライドブロックの頂面には硬パイプが固定的に設置され、前記パイプスライドブロックと前記前側スライドブロックとの間には従動スライドブロックが連結され、前記前側スライドブロックと前記後側スライドブロックとの頂面にはそれぞれ連結短ロッドが固定的に連結され、二つの前記連結短ロッドの頂面には清潔長ブロックが固定的に設置され、前記清潔長ブロックの中には下方に開口した収納チャンバーが設置され、前記収納チャンバーの中には取り除き板がスライドできるように連結され、前記取り除き板と前記収納チャンバーの間には圧縮バネが設置され、前記開口空間の前後側壁には当接ブロックが固定的に設置され、前記当接ブロックが前記取り除き板と当接でき、前記清潔長ブロックの中には前記硬パイプと連通した排水管が設置され、前記排水管の右側には噴射板が固定的に設置され、前記噴射板の中には噴水できる噴射孔が設置され、前記噴射孔が前記排水管と連通され、前記ベースの中には昇降空間が設置され、前記昇降空間の左右側壁にはラックスライドチャンバーが対称的に設置され、前記ラックスライドチャンバーの底壁にはそれぞれ歯車チャンバーが設置され、前記歯車チャンバーと前記ラックスライドチャンバーと前記昇降空間との間には昇降装置が設置され、前記歯車チャンバーの底壁にはそれぞれ動力チャンバーが設置され、各前記動力チャンバーの片側壁にはそれぞれゴミチャンバーが設置され、前記動力チャンバーの中には駆動装置が設置され、前記駆動装置が昇降装置により前記拭き取り装置を連動して上下に移動させることができ、前記ベースの中には物保存チャンバーが設置され、前記物保存チャンバーの中には加水できる加水装置が設置され、
前記昇降装置は昇降スライドブロックと従動ラックとヒンジ連結ロッドと駆動軸と駆動歯車とにより構成され、前記昇降空間の頂壁と前記開口空間の底壁との中には前記昇降スライドブロックがスライドできるよう連結され、前記昇降スライドブロックの頂面が前記長板と固定的に連結され、前記ラックスライドチャンバーの中にはそれぞれ前記従動ラックが対称的に且つスライドできるように連結され、前記従動ラックと前記昇降スライドブロックとの間に前記はヒンジ連結ロッドがそれぞれヒンジにより連結され、前記歯車チャンバーの前後側壁には前記駆動軸が回転できるように連結され、前記駆動軸には前記従動ラックと噛み合っている前記駆動歯車が固定的に設置され、
前記駆動装置は駆動モーターとモーター親ねじとネジ山ラックとゴミ箱と位置制限スライドチャンバーとにより構成され、前記動力チャンバーの中には前記駆動モーターが固定的に設置され、前記駆動モーターの中には前記モーター親ねじが連結され、前記モーター親ねじの左右両側には前記動力チャンバーとスライドできるように連結された前記ネジ山ラックが対称的に且つネジ山により連結され、前記ネジ山ラックが前記駆動歯車と噛み合っており、二つの前記ネジ山ラックの片側にはそれぞれ前記ゴミチャンバーとスライドできるように連結されたゴミ箱が固定的に連結され、その中に左側の前記ネジ山ラックの底側には下方に開口した前記位置制限スライドチャンバーが設置され、
前記加水装置はバネ板と連結バネと門軸とスイッチドアと凸ブロックと長スライドチャンバーと密封チャンバーと入水管と連動空間とラックブロックと逆鈎とフォームマットと連結ロッドと位置制限機構とポンプと軟パイプとにより構成され、前記物保存チャンバーの中には前記バネ板がスライドできるように連結され、前記バネ板と前記物保存チャンバーとの間には前記連結バネが連結され、前記物保存チャンバーの上下側壁には前記門軸が回転できるように連結され、前記門軸には前記物保存チャンバーを閉鎖できる前記スイッチドアが固定的に設置され、前記スイッチドアの前側面には前記物保存チャンバーを開くことができる前記凸ブロックが固定的に設置され、前記物保存チャンバーの頂壁には前記長スライドチャンバーが設置され、前記長スライドチャンバーの底壁には前記密封チャンバーが設置され、前記長スライドチャンバーの中には前記入水管が貫通され、前記長スライドチャンバーの左側壁には前記連動空間が設置され、前記長スライドチャンバーの中には前記ラックブロックがスライドできるように連結され、前記ラックブロックの底面には前記逆鈎が固定的に設置され、前記ラックブロックの底面には前記フォームマットが左右対称的に且つ固定的に設置され、前記ラックブロックの左側頂面には前記連結ロッドが固定的に設置され、前記連結ロッドの頂面には前記位置制限スライドチャンバーとスライドできるように連結された前記位置制限機構が固定的に設置され、前記入水管の中には前記ポンプが固定的に設置され、前記昇降空間の中において前記入水管には前記軟パイプが連結され、前記軟パイプが前記昇降スライドブロックを貫通して前記開口空間の中に入り、且つ前記パイプスライドブロックと連結され、
前記凸ブロックを引き、それにより前記スイッチドアを回転連動させ、それから前記バネ板を下方に押し、それにより洗浄の石鹸を前記バネ板の頂面に入れ、それから客がご飯を食べ終わった時、まず皿を収める、それから前記駆動モーターを始動し、それにより前記モーター親ねじを回転連動させ、それにより前記ゴミ箱を前記ゴミチャンバーから押し、前記ゴミ箱を前記テーブル板の頂面と水平に整列され、前記ネジ山ラックが両側に移動した時、前記位置制限機構と前記連結ロッドと前記ラックブロックと前記フォームマットと前記逆鈎とを連動させて左方に移動させ、それにより前記逆鈎を前記バネ板の頂面の石鹸を一部分を取り除いて左方に移動させ、前記逆鈎を完全に前記入水管の中にあるようにさせ、その時前記ネジ山ラックが前記駆動歯車を回転連動させ、それにより前記従動ラックを連動させて中心に移動させ、それにより前記ヒンジ連結ロッドを通して前記昇降スライドブロックと前記長板と前記清潔長ブロックとを上方に移動させ、それにより前記清潔長ブロックの底面を前記テーブルの頂面と水平に整列され、その時前記取り除き板がテーブルと当接し、それから前記清潔モーターを始動し、前記ネジ山軸を回転連動させ、それにより前記前側スライドブロックと前記従動スライドブロックと前記パイプスライドブロックと前記後側スライドブロックと前記硬パイプと前記連結短ロッドと前記清潔長ブロックを連動させて左方に移動させ、それにより前記取り除き板を通してテーブルの上のゴミを左方に連動させ、左側の前記ゴミ箱の中に掃き込み、同時に前記ポンプを始動し、それにより水を前記入水管から抽出し、それから前記逆鈎により石鹸と混和し、それから前記軟パイプと前記パイプスライドブロックと前記硬パイプと前記排水管と前記噴射孔とにより水をテーブルの上に噴出することを特徴とするレストランの迅速にテーブルを回転させることに役立つ整理消毒テーブル。
【請求項２】
前記フォームマットが前記密封チャンバーとスライドできるように連結されることができ、且つ前記フォームマットには防水機能が持つことを特徴とする請求項１に記載のレストランの迅速にテーブルを回転させることに役立つ整理消毒テーブル。
【請求項３】
前記軟パイプはゴム材質を使用していることを特徴とする請求項１に記載のレストランの迅速にテーブルを回転させることに役立つ整理消毒テーブル。
【請求項４】
前記取り除き板の底面はゴム材質を使用していることを特徴とする請求項１に記載のレストランの迅速にテーブルを回転させることに役立つ整理消毒テーブル。
【請求項５】
前記ゴミ箱の幅は前記テーブル板の幅に等しいことを特徴とする請求項１に記載のレストランの迅速にテーブルを回転させることに役立つ整理消毒テーブル。
【手続補正２】
【補正対象書類名】明細書
【補正対象項目名】全文
【補正方法】変更
【補正の内容】
【発明の詳細な説明】
【技術分野】
【０００１】
本発明は飲食分野に関し、具体的にはレストランの迅速にテーブルを回転させることに役立つ整理消毒テーブルである。
【背景技術】
【０００２】
人々の生活水準が高まるにつれて、多くの人は週末或いは休みの時にレストランへ食事と取りに行き、飲食業の商売もいつも非常によく、しかし商売が良すぎるため、レストランを超満員状態とさせやすく、従って飲食業においてテーブルの回転率を上げるのは非常に重要な一点である。
現在のテーブルでは、客が食べ終わった後、店員がテーブルを片付ける必要があり、まずテーブルの上の食器を片付け、そしてテーブルの上のゴミを整理し、それから洗剤でテーブルをきれいに拭き取り、その過程において大量の時間を浪費し、それによりテーブルの回転率を大きく下げる。
【先行技術文献】
【特許文献】
【０００３】
【特許文献１】中国特許出願公開第１０７１５７１２８号明細書
【発明の概要】
【発明が解決しようとする課題】
【０００４】
本発明はレストランの迅速にテーブルを回転させることに役立つ整理消毒テーブルを提供し、従来技術における上記欠点を解消することを目的とする。
【課題を解決するための手段】
【０００５】
本発明の実施例のレストランの迅速にテーブルを回転させることに役立つ整理消毒テーブルは、ベースを含み、前記ベースの頂面にはテーブル板が固定的に設置され、前記テーブル板の中には右方に開口した開口空間が設置され、前記開口空間の中には長板がスライドできるように連結され、前記長板と前記開口空間との間にはリセットバネが連結され、前記長板には拭き取り装置が設置され、前記拭き取り装置が前記長板の頂面に設置された前後対称の開口スライドチャンバーを含み、その中に後側の前記開口スライドチャンバーの左右側壁には固定スライドロッドが固定的に設置され、前記固定スライドロッドには後側スライドブロックがスライドできるように連結され、前側の前記開口スライドチャンバーの右側壁には清潔モーターが固定的に設置され、前記清潔モーターの左側には前記開口スライドチャンバーと回転できるように連結されたネジ山軸が連結され、前記ネジ山軸には前側スライドブロックがネジ山により連結され、前記開口スライドチャンバーの後側壁には連通チャンバーが設置され、前記連通チャンバーの後側壁にはパイプスライドチャンバーが設置され、前記パイプスライドチャンバーの中にはパイプスライドブロックがスライドできるように連結され、前記パイプスライドブロックの頂面には硬パイプが固定的に設置され、前記パイプスライドブロックと前記前側スライドブロックとの間には従動スライドブロックが連結され、前記前側スライドブロックと前記後側スライドブロックとの間にはそれぞれ連結短ロッドが固定的に連結され、二つの前記連結短ロッドの頂面には清潔長ブロックが固定的に設置され、前記清潔長ブロックの中には下方に開口した収納チャンバーが設置され、前記収納チャンバーの中には取り除き板がスライドできるように連結され、前記取り除き板と前記収納チャンバーとの間には圧縮バネが設置され、前記開口空間の前後側壁には当接ブロックが固定的に設置され、前記当接ブロックが前記取り除き板と当接でき、前記清潔長ブロックの中には前記硬パイプと連通した排水管が設置され、前記排水管の右側には噴射板が固定的に設置され、前記噴射板の中には噴水できる噴射孔が設置され、前記噴射孔が前記排水管と連通され、前記ベースの中には昇降空間が設置され、前記昇降空間の左右側壁にはラックスライドチャンバーが対称的に設置され、前記ラックスライドチャンバーの底壁にはそれぞれ歯車チャンバーが設置され、前記歯車チャンバーと前記ラックスライドチャンバーと前記昇降空間との間には昇降装置が設置され、前記歯車チャンバーの底壁にはそれぞれ動力チャンバーが設置され、各前記動力チャンバーの片側壁にはそれぞれゴミチャンバーが設置され、前記動力チャンバーの中には駆動装置が設置され、前記駆動装置が前記拭き取り装置を連動させて移動させ、前記ベースの中には物保存チャンバーが設置され、前記物保存チャンバーの中には加水できる加水装置が設置されている。
【０００６】
前記技術プランに基づいて、前記昇降装置は昇降スライドブロックと従動ラックとヒンジ連結ロッドと駆動軸と駆動歯車とにより構成され、前記昇降空間の頂壁と前記開口空間の底壁との中には前記昇降スライドブロックがスライドできるよう連結され、前記昇降スライドブロックの頂面が前記長板と固定的に連結され、前記ラックスライドチャンバーの中にはそれぞれ前記従動ラックが対称的に且つスライドできるように連結され、前記従動ラックと前記昇降スライドブロックとの間に前記はヒンジ連結ロッドがそれぞれヒンジにより連結され、前記歯車チャンバーの前後側壁には前記駆動軸が回転できるように連結され、前記駆動軸には前記従動ラックと噛み合っている前記駆動歯車が固定的に設置されている。
【０００７】
前記技術プランに基づいて、前記駆動装置は駆動モーターとモーター親ねじとネジ山ラックとゴミ箱と位置制限スライドチャンバーとにより構成され、前記動力チャンバーの中には前記駆動モーターが固定的に設置され、前記駆動モーターの中には前記モーター親ねじが連結され、前記モーター親ねじの左右両側には前記動力チャンバーとスライドできるように連結された前記ネジ山ラックが対称的に且つネジ山により連結され、前記ネジ山ラックが前記駆動歯車と噛み合っており、二つの前記ネジ山ラックの片側にはそれぞれ前記ゴミチャンバーとスライドできるように連結されたゴミ箱が固定的に連結され、その中に左側の前記ネジ山ラックの底側には下方に開口した前記位置制限スライドチャンバーが設置されている。
【０００８】
前記技術プランに基づいて、前記加水装置はバネ板と連結バネと門軸とスイッチドアと凸ブロックと長スライドチャンバーと密封チャンバーと入水管と連動空間とラックブロックと逆鈎とフォームマットと連結ロッドと位置制限機構とポンプと軟パイプとにより構成され、前記物保存チャンバーの中には前記バネ板がスライドできるように連結され、前記バネ板と前記物保存チャンバーとの間には前記連結バネが連結され、前記物保存チャンバーの上下側壁には前記門軸が回転できるように連結され、前記門軸には前記物保存チャンバーを閉鎖できる前記スイッチドアが固定的に設置され、前記スイッチドアの前側面には前記物保存チャンバーを開くことができる前記凸ブロックが固定的に設置され、前記物保存チャンバーの頂壁には前記長スライドチャンバーが設置され、前記長スライドチャンバーの底壁には前記密封チャンバーが設置され、前記長スライドチャンバーの中には前記入水管が貫通され、前記長スライドチャンバーの左側壁には前記連動空間が設置され、前記長スライドチャンバーの中には前記ラックブロックがスライドできるように連結され、前記ラックブロックの底面には前記逆鈎が固定的に設置され、前記ラックブロックの底面には前記フォームマットが左右対称的に且つ固定的に設置され、前記ラックブロックの左側頂面には前記連結ロッドが固定的に設置され、前記連結ロッドの頂面には前記位置制限スライドチャンバーとスライドできるように連結された前記位置制限機構が固定的に設置され、前記入水管の中には前記ポンプが固定的に設置され、前記昇降空間の中において前記入水管には前記軟パイプが連結され、前記軟パイプが前記昇降スライドブロックを貫通して前記開口空間の中に入り、且つ前記パイプスライドブロックと連結されている。
【０００９】
前記技術プランに基づいて、前記フォームマットが前記密封チャンバーとスライドできるように連結されることができ、且つ前記フォームマットには防水機能が持つ。
【００１０】
前記技術プランに基づいて、前記軟パイプはゴム材質を使用している。
【００１１】
前記取り除き板の底面はゴム材質を使用している。
【００１２】
前記技術プランに基づいて、前記ゴミ箱の幅は前記テーブル板の幅に等しい。
【発明の効果】
【００１３】
本発明の有益効果は：本発明は構造が簡単であり、操作が便利であり、客が美食を満喫した後に、食器を回収し、機械方式により、自動的にテーブルの上のゴミと油汚れとをそれぞれきれいに処理することができ、同時に本装置は清潔する過程において石けん水を入れ、テーブルが整理された後に油汚れが残されないようにし、テーブルの衛生を保障し、同時に本装置はゴミを分類して処理した後、続きの処理に便利である。
本装置はテーブルの回転率を早めたのみでなく、より多くの客が美食を満喫できるようにし、同時に、自動的にテーブルを回転させることができるため、店員の数を減らすことができ、それにより人力コストを節約し、それにより間接的にレストランの利益を上げ、人々の収入を増やす。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のレストランの迅速にテーブルを回転させることに役立つ整理    消毒テーブルの全体構成模式図
【図２】図２は図１の「Ａ」の局部拡大構成模式図
【図３】図３は図１の左面構成模式図
【図４】図４は図１のＢ―Ｂの断面模式図
【図５】図５は図４の「Ｃ―Ｃ」の断面模式図
【図６】図６は図１の中のラックブロックの俯瞰構成模式図
【図７】図７は図１の中の物保存チャンバーの中の内部構成の左側面模式図
【発明を実施するための形態】
【００１６】
本発明の実施例のレストランの迅速にテーブルを回転させることに役立つ整理消毒テーブルは、ベース２１を含み、前記ベース２１の頂面にはテーブル板４７が固定的に設置され、前記テーブル板４７の中には右方に開口した開口空間４９が設置され、前記開口空間４９の中には長板５０がスライドできるように連結され、前記長板５０と前記開口空間４９との間にはリセットバネ４８が連結され、前記長板５０には拭き取り装置１０１が設置され、前記拭き取り装置１０１が前記長板５０の頂面に設置された前後対称の開口スライドチャンバー６２を含み、後側の前記開口スライドチャンバー６２の左右側壁には固定スライドロッド６２が固定的に設置され、前記固定スライドロッド６２には後側スライドブロック６６がスライドできるように連結され、前側の前記開口スライドチャンバー６２の右側壁には清潔モーター５９が固定的に設置され、前記清潔モーター５９の左側には前記開口スライドチャンバー６２と回転できるように連結されたネジ山軸６１が連結され、前記ネジ山軸６１には前側スライドブロック６０がネジ山により連結され、前記開口スライドチャンバー６２の後側壁には連通チャンバー６３が設置され、前記連通チャンバー６３の後側壁にはパイプスライドチャンバー６４が設置され、前記パイプスライドチャンバー６４の中にはパイプスライドブロック６５がスライドできるように連結され、前記パイプスライドブロック６５の頂面には硬パイプ５５が固定的に設置され、前記パイプスライドブロック６５と前記前側スライドブロック６０との間には従動スライドブロック５４が連結され、前記前側スライドブロック６０と前記後側スライドブロック６６との頂面にはそれぞれ連結短ロッド７９が固定的に連結され、二つの前記連結短ロッド７９の頂面には清潔長ブロック５７が固定的に設置され、前記清潔長ブロック５７の中には下方に開口した収納チャンバー７４が設置され、前記収納チャンバー７４の中には取り除き板７３がスライドできるように連結され、前記取り除き板７３と前記収納チャンバー７４との間には圧縮バネ７２が設置され、前記開口空間４９の前後側壁には当接ブロック７１が固定的に設置され、前記当接ブロック７１が前記取り除き板７３と当接でき、前記清潔長ブロック５７の中には前記硬パイプ５５と連通した排水管７６が設置され、前記排水管７６の右側には噴射板７７が固定的に設置され、前記噴射板７７の中には噴水できる噴射孔７８が設置され、前記噴射孔７８が前記排水管７６と連通され、前記ベース２１の中には昇降空間４５が設置され、前記昇降空間４５の左右側壁にはラックスライドチャンバー４２が対称的に設置され、前記ラックスライドチャンバー４２の底壁にはそれぞれ歯車チャンバー４１が設置され、前記歯車チャンバー４１と前記ラックスライドチャンバー４２と前記昇降空間４５との間には昇降装置１０２が設置され、前記歯車チャンバー４１の底壁にはそれぞれ動力チャンバー３６が設置され、各前記動力チャンバー３６の片側壁にはそれぞれゴミチャンバー３５が設置され、前記動力チャンバー３６の中には駆動装置１０３が設置され、前記駆動装置１０３が昇降装置１０２により前記拭き取り装置１０１を連動させて上下に移動させることができ、前記ベース２１の中には物保存チャンバー８１が設置され、前記物保存チャンバー８１の中には加水装置１０４が設置され、前記加水装置１０４が石鹸水を拭き取り装置１０１の中に運送することができる。
【００１７】
その他、もう一つの実施例において、前記昇降装置１０２は前記昇降空間４５の頂壁と前記開口空間４９の底壁との中にスライドできるように取り付けられた昇降スライドブロック５１を含み、前記昇降スライドブロック５１の頂面が前記長板５０と固定的に連結され、前記ラックスライドチャンバー４２の中にはそれぞれ従動ラック４３が対称的に且つスライドできるように連結され、前記従動ラック４３と前記昇降スライドブロック５１との間にはヒンジ連結ロッド４４がそれぞれヒンジにより連結され、前記歯車チャンバー４１の前後側壁には駆動軸４０が回転できるように連結され、前記駆動軸４０には前記従動ラック４３と噛み合っている駆動歯車３９が固定的に設置され、前記駆動歯車３９が回転した時、それにより前記従動ラック４３を中心に移動させ、それにより前記ヒンジ連結ロッド４４を通して前記昇降スライドブロック５１と前記長板５０と前記清潔長ブロック５７を連動させて上方に移動させ、それにより前記清潔長ブロック５７を底面と前記テーブル板４７の頂面とを水平に整列され、その役割が拭き取り装置１０１の前期準備をすることである。
【００１８】
その他、もう一つの実施例において、前記駆動装置１０３は動力チャンバー３６の中に固定的に取り付けられた駆動モーター８２を含み、前記駆動モーター８２の中にはモーター親ねじ３７が連結され、前記モーター親ねじ３７の左右両側には前記動力チャンバー３６とスライドできるように連結されたネジ山ラック３８が対称的に且つネジ山により連結され、前記ネジ山ラック３８が前記駆動歯車３９と噛み合っており、二つの前記ネジ山ラック３８の片側にはそれぞれ前記ゴミチャンバー３５とスライドできるように連結されたゴミ箱８３が固定的に連結され、左側の前記ネジ山ラック３８の底側には下方に開口した位置制限スライドチャンバー２３が設置され、それにより前記駆動モーター８２を始動し、それにより前記モーター親ねじ３７を回転連動させ、それにより前記ゴミ箱８３を前記ゴミチャンバー３５から放り出し、その役割が前記昇降装置１０２を駆動することとゴミチャンバー３５を放り出すことである。
【００１９】
その他、もう一つの実施例において、前記加水装置１０４は前記物保存チャンバー８１の中に取り付けられたバネ板３１を含み、前記バネ板３１と前記物保存チャンバー８１との間には連結バネ３３が連結され、前記物保存チャンバー８１の上下側壁には門軸７０が回転できるように連結され、前記門軸７０には前記物保存チャンバー８１を閉鎖できるスイッチドア６９が固定的に設置され、前記スイッチドア６９の前側面には前記物保存チャンバー８１を開くことができる凸ブロック６８が固定的に設置され、前記物保存チャンバー８１の頂壁には長スライドチャンバー２６が設置され、前記長スライドチャンバー２６の底壁には密封チャンバー２８が設置され、前記長スライドチャンバー２６の中には入水管２９が貫通され、前記長スライドチャンバー２６の左側壁には連動空間２４が設置され、前記長スライドチャンバー２６の中にはラックブロック２７がスライドできるように連結され、前記ラックブロック２７の底面には逆鈎３２が固定的に設置され、前記ラックブロック２７の底面にはフォームマット３４が左右対称的に且つ固定的に設置され、前記ラックブロック２７の左側頂面には連結ロッド２５が固定的に設置され、前記連結ロッド２５の頂面には前記位置制限スライドチャンバー２３とスライドできるように連結された位置制限機構２２が固定的に設置され、前記入水管２９の中にはポンプ３０が固定的に設置され、前記昇降空間４５の中において前記入水管２９には軟パイプ４６が連結され、前記軟パイプ４６が前記昇降スライドブロック５１を貫通して前記開口空間４９の中に入り、且つ前記パイプスライドブロック６５と連結され、それにより前記凸ブロック６８を引くことにより、前記スイッチドア６９を連動させて回転させ、それから前記バネ板３１を下方に押し、それにより清潔するための石鹸を前記バネ板３１の頂面に入れ、それから前記ネジ山ラック３８が両側に移動した時、前記位置制限機構２２と前記連結ロッド２５と前記ラックブロック２７と前記フォームマット３４と前記逆鈎３２とを連動させて左方に移動させ、それにより前記逆鈎３２を前記バネ板３１の頂面の石鹸を一部分取り除いて左方に移動させ、それにより前記逆鈎３２が完全に前記入水管２９の中にあるようにさせ、それから前記ポンプ３０を始動し、それにより水を前記入水管から抽出し、それから前記逆鈎３２が石鹸と混和することにより、それから前記軟パイプ４６と前記パイプスライドブロック６５と前記硬パイプ５５と前記排水管７６と前記噴射孔７８とを通して水を噴出し、テーブルの上に噴出する。
【００２０】
その他、もう一つの実施例において、前記フォームマット３４が前記密封チャンバー２８とスライドできるように連結されることができ、且つ前記フォームマット３４には防水機能が持ち、水が前記密封チャンバー２８から前記物保存チャンバー８１の中に流れ込むことを防止する。
【００２１】
その他、もう一つの実施例において、前記軟パイプ４６はゴム材質を使用しており、任意的に曲げりが可能であり、ある程度の収縮性が有している。
【００２２】
その他、もう一つの実施例において、前記取り除き板７３の底面はゴム材質を使用しており、テーブルの上のゴミを除去することができるだけではなく、石鹸水を取り除くことによりテーブル板４７の頂面をきれいにすることもできる。
【００２３】
その他、もう一つの実施例において、前記ゴミ箱８３の幅は前記テーブル板４７の幅に等しく、ゴミが整除の過程において零れることを防止する。
【００２４】
石鹸を入れる必要がある時、まず凸ブロック６８を引き、それによりスイッチドア６９を回転連動させ、それからバネ板３１を下方に押し、それにより洗浄の石鹸をバネ板３１の頂面に入れ、それから客がご飯を食べ終わった時、まず皿を収める、それから駆動モーター８２を始動し、それによりモーター親ねじ３７を回転連動させ、それによりゴミ箱８３をゴミチャンバー３５から押し、ゴミ箱８３をテーブル板４７の頂面と水平に整列され、ネジ山ラック３８が両側に移動した時、位置制限機構２２と連結ロッド２５とラックブロック２７とフォームマット３４と逆鈎３２とを連動させて左方に移動させ、それにより逆鈎３２をバネ板３１の頂面の石鹸を一部分を取り除いて左方に移動させ、逆鈎３２を完全に入水管２９の中にあるようにさせ、その時ネジ山ラック３８が駆動歯車３９を回転連動させ、それにより従動ラック４３を連動させて中心に移動させ、それによりヒンジ連結ロッド４４を通して昇降スライドブロック５１と長板５０と清潔長ブロック５７とを上方に移動させ、それにより清潔長ブロック５７の底面をテーブル４７の頂面と水平に整列され、その時取り除き板７３がテーブルと当接し、それから清潔モーター５９を始動し、ネジ山軸６１を回転連動させ、それにより前側スライドブロック６０と従動スライドブロック５４とパイプスライドブロック６５と後側スライドブロック６６と硬パイプ５５と連結短ロッド７９と清潔長ブロック５７を連動させて左方に移動させ、それにより取り除き板７３を通してテーブルの上のゴミを左方に連動させ、左側のゴミ箱８３の中に掃き込み、同時にポンプ３０を始動し、それにより水を入水管２９から抽出し、それから逆鈎３２により石鹸と混和し、それから軟パイプ４６とパイプスライドブロック６５と硬パイプ５５と排水管７６と噴射孔７８とにより水をテーブルの上に噴出し、それから逆方向に清潔モーター５９を始動し、それにより清潔長ブロック５７を左方に連動させ、それにより取り除き板７３によりテーブルの上の石鹸水を右側のゴミ箱８３の中に取り除き、その間、テーブルの上の油汚れもきれいに取り除き、それから逆方向に駆動モーター８２を始動し、本装置を復帰させる。
【００２５】
以上に述べたのはただ本実用新型のより良い実施例だけで、本実用新型を限定することに使わないである。本実用新型の意義と原則のもとで行う全ての修正、同等の入れ替えと改善などは本実用新型の保護範囲に含まれる。